Podtech/llm-jp-corpus-v4-ja_patent huggingface dataset:
(57)【要約】【課題】穿口部の編地が、ガーゼ調のソフトな肌ざわりを有し、柔軟性を保つと共に、緊締性をも保持し、かつ、着用時に編地内に通気間隙が生じ、編地内での空気の流通が妨げられることなく蒸れの発生も防止することを可能にした靴下を得る。【解決手段】穿口部を構成する編地の１コースごとに、伸縮性糸と非伸縮性糸とを交互に編み込んでなり、前記両糸は、伸縮性糸１に対し、非伸縮性糸１０±（０．５〜１．５）以上の太さ（デニール換算）とする。【選択図】図２
0003180293.tif 000002
【実用新案登録請求の範囲】
【請求項１】
穿口部を構成する編地の１コースごとに、伸縮性糸と非伸縮性糸とを交互に編み込んでなり、前記両糸は、伸縮性糸１に対し、非伸縮性糸１０±（０．５〜１．５）以上の太さ（デニール換算）とすることを特徴とする靴下。 
【考案の詳細な説明】
【技術分野】
【０００１】
本考案は、穿口部の編地組織に特徴を有し、ガーゼ調の柔軟な触感を有し、通気性に優れ涼感を得ることを可能とした靴下に関するものである。
【背景技術】
【０００２】
靴下は、着用時におけるずれ落ちの防止をなくし、或は身体へのフィット性を得るため、穿口部の組織に緊締性を求め、該部を緊締性組織とし、或は、ゴム糸その他の弾性糸を編み込む（特許文献１）等の手段を講じている。然し、そのために該部の編地の使用糸量が多くなり編地のソフトな締付感，柔軟性が奪われると共に、通気性が少なくなり、清涼感が失われることになった。
【先行技術文献】
【特許文献】
【０００３】
【特許文献１】特開平９−２７３００５号公報
【考案の概要】
【考案が解決しようとする課題】
【０００４】
本考案は上記の点に鑑みて、穿口部の編地がソフトな肌ざわりを有し、柔軟性を保つと共に、緊締性をも保持し、かつ、着用時に編地内での周囲の空気の流通が妨げられることなく蒸れの発生も防止することを可能にした靴下を得ることを目的とする。
【課題を解決するための手段】
【０００５】
請求項１記載の考案は、穿口部を構成する編地の１コースごとに、弾性糸と非弾性糸とを交互に編み込んでなり、前記両糸は、伸縮性糸１に対し、非伸縮性糸１０±（０．５〜１．５）以上の太さ（デニール換算）とすることを特徴としている。
【考案の効果】
【０００６】
本考案靴下は、穿口部を構成する編地の１コースごとに、伸縮性糸と非伸縮性糸とを交互に編み込み、伸縮性糸の太さ１に対し、非伸縮性糸の太さ１０±（０．５〜１．５）以上（デニール換算）としているために、細い伸縮性糸による編地の編成で太い非伸縮性の糸が押えられ、該部に柔軟性のある膨化した部分が生じた編地が得られると共に、細い伸縮性糸の編成により、上記膨化した編地の一部が緊締されて編地間に小空隙が生じ、該部が編地間の空気の流路となり、編地に蒸れの生ずることがなく、靴下着用時に穿口部の弾性糸の柔軟性により締付け感がなく、細い弾性糸による太い非弾性糸への絡みにより生ずる空間の存在により通気性を良好にしている。
【図面の簡単な説明】
【０００７】
【図１】本考案靴下の概略側面図。
【図２】Ａは同靴下の穿口部の組織を拡大した状態を示す平面図、Ｂは同組織をウエール方向に引張し、伸縮性糸を伸長し、通気空間を生ぜしめた状態を示す平面図。
【考案を実施するための形態】
【０００８】
本考案靴下の実施の一例を図面と共に次に説明する。
本考案靴下１は、丸編靴下編機（図示せず）で穿口部２，脚部３，踵部４，足部５，爪先部６と順に編成され、最後に爪先開口部７をリンキング等適宜手段で閉じられる。
本考案靴下は、着用時、穿口部２の編地による使用者の脚への締め付けにより生ずる圧迫感等の穿き心地の悪さ、或は換気不良による靴下生地の蒸れの発生等の障害を防止する対策を靴下の穿口部２に実施したので、その構成について以下説明するが、その構造は特に穿口部２に限ることはなく、脚部３，足部５等に実施することも可能である。
【０００９】
図２に示す編組織は、平編組織の編地２１において、ＦＴＹよりなる細い伸縮性糸２２と、太い紡毛糸よりなる非伸縮性糸２３を、１コースごとに交互に編み込んだ例である。
靴下を着用した場合、肌に触れるのは主として太糸である非伸縮性の紡毛糸２３であって、それが肌に柔らかな感触を与えて接し肌触りを良くしている。伸縮性を有する細糸ＦＴＹは平列する２本の非伸縮性糸２３の間にあって、これら２本の糸のループ同士をウエール方向に連ねて連繋している。
そして、足の動きに従って編地にウエール方向に力が加わると細糸の伸縮性糸２２のループは伸長し伸縮性糸２２のコースの周囲には微細な空隙が多く発生する。この空隙が結果的に通気性を高め清涼感を発揮する。
【００１０】
上記、図示した編地組織は平編であるが、ゴム編等緊締作用の有る組織なら適宜採用出来る。
【００１１】
本考案の編地は、上述した如く、伸縮性糸２２と非伸縮性糸２３とが用いられる。そして、伸縮性糸２２は、非伸縮性糸２３の２つのコース間にあって、非伸縮性糸２３のコース間隔を開閉し、その間に生ずる通気間隙２４を作っている。
そして、前記通気間隙２４は非伸縮性糸の太さによって前記コース間隔開閉時の作られる間隙の大きさも異なって来る。
【００１２】
また、伸縮性糸２２も、その太さを大とすれば、前記通気間隙を塞ぐ結果ともなるため、あまり太くすることは出来ない。
そこで、伸縮性糸２２と非伸縮性糸２３との太さの比を伸縮性糸１に対し、非伸縮性糸１０±（０．５〜１．５）（デニール換算）とする。
更に本考案靴下において、穿口部または伸縮性を更に得たいとする個所には、伸縮性を補助する目的で、穿口部または伸縮性能を付与したい個所の非伸縮性のコースにゴム糸を流し込みで挿入することは可能である。
【符号の説明】
【００１３】
１  靴下
２  穿口部
３  脚部
４  踵部
５  足部
６  爪先部
７  爪先開口部
２１  編地
２２  伸縮性糸
２３  非伸縮性糸 
２４  通気間隙
【図１】
0003180293.tif 000003
【図２】
0003180293.tif 000004
(57)【要約】      （修正有）【課題】吸湿性の高いガスを検出するガス測定装置を校正するための器具であって、チューブから大気中の湿気を取り込みながら標準ガスをセンサーに送気し、ゼロ点調整とスパン調整とをほぼ同一の湿度で実行できるようにしたガス測定装置を提供する。【解決手段】ガス取入れ口４に連通する検出手段３とサンプリングポンプ１とを収容したガス測定装置において、ガス取入れ口４にテトラフルオロエチレンとパーフルオロビニルエーテルとの共重合体により構成されたガス導入用チューブ５が接続されている。【選択図】図１
0003180357.tif 000002
【実用新案登録請求の範囲】
【請求項１】
ガス取入れ口に連通する検出手段とサンプリングポンプとを筺体に収容したガス測定装置において、
前記ガス取入れ口にテトラフルオロエチレンとパーフルオロビニルエーテルとの共重合体により構成されたガス導入用チューブが接続されているガス測定装置。
【考案の詳細な説明】
【技術分野】
【０００１】
本考案は、吸湿性の高いガスを検出するガス測定装置を校正するための器具に関する。
【背景技術】
【０００２】
ガス測定装置は、ゼロガス状態と、規定濃度の標準ガスを導入した状態との２つの指示点によりいわゆるゼロ点調整とスパン調整とが行われる。
ゼロ点調整は通常、湿気を含む大気が使用される一方、標準ガスはボンベに封入されたドライガスである。
【０００３】
このため、湿気の影響を受けるガスセンサを使用した測定器にあっては大気と標準ガスとの湿度差により校正の精度が低下するという問題がある。
もとより特許文献１に見られるように調湿器をサンプリング流路に接続することは知られているが、調湿剤である多孔質粒子が種類によってはガスを吸収する場合があり、最適な材料を選ぶ必要がある。
【先行技術文献】
【特許文献】
【０００４】
【特許文献１】特開２００４−２３３３１７号公報
【考案の概要】
【考案が解決しようとする課題】
【０００５】
本考案はこのような問題にかんがみてなさたものであって、その目的とするところは、加湿器を必要とすること無く適切な湿度の標準ガスを供給できるガス測定装置を提供することである。
【課題を解決するための手段】
【０００６】
このような課題を達成するために本考案は、ガス取入れ口に連通する検出手段とサンプリングポンプとを筺体に収容したガス測定装置において、前記ガス取入れ口にテトラフルオロエチレンとパーフルオロビニルエーテルとの共重合体により構成されたガス導入用チューブが接続されている。
【考案の効果】
【０００７】
チューブから大気中の湿気を取り込みながら標準ガスをセンサーに送気するから、ゼロ点調整とスパン調整とをほぼ同一の湿度で実行できて精度の高い校正が可能となる。
【図面の簡単な説明】
【０００８】
【図１】本考案の一実施例を示す断面図である。
【考案を実施するための形態】
【０００９】
図１は、本考案の一実施例を示すものであって、携帯型ガス測定装置を構成するのに必要な要素、サンプリングポンプ１、センサ２、２’、図示しない信号処理手段がケース３に収容されている。
【００１０】
ガス取入れ口５には水蒸気が透過可能なテトラフルオロエチレンとパーフルオロビニルエーテルとの共重合体により構成されたガス導入用チューブ６が接続されている。
【００１１】
このチューブ６は、商品としてはＮａｆｉｏｎ(デュポン社登録商標)、Ｆｌｅｍｉｏｎ
(旭硝子社登録商標)、Ａｃｉｐｌｅｘ(旭化成ケミカルズ社登録商標)などとして提供されている。
【００１２】
この実施例において零点を調整するべく、ゼロガスとして空気をガス導入用チューブ６を経由して、また規定濃度の標準ガスをガス導入用チューブ６を介して供給すると、ガス導入用チューブ６により調湿を受けて可及的に同一湿度となった零ガスと標準ガスでスパン調整が可能となる。
【００１３】
本考案による調湿作用の効果を確認するため、温度２４℃、湿度４5％RHの環境下で、ドライエア（10％RH）と加湿エア（８６％RH）とをそれぞれガス導入用チューブ６を経由させて吸引速度を変えて吸引したところ、ドライエアでは
【表１】
0003180357.tif 000003
で、また加湿エアでは
【表２】
0003180357.tif 000004
となった。
【００１４】
このようにドライエア（10％RH）や加湿エア（８６％RH）のように極端に湿度が異なる気体でもほぼ大気の湿度に近い湿度に調整でき、ガス測定装置のガス取入れ口にテトラフルオロエチレンとパーフルオロビニルエーテルとの共重合体により構成されたチューブを接続してゼロガス、標準ガスを導入して校正すると湿度による誤差を軽減できることが明らかになった。
【符号の説明】
【００１５】
１  サンプリングポンプ    ２、２’  センサ    ３  ケース    ５  ガス取入れ口    ６  ガス導入用チューブ
【図１】
0003180357.tif 000005
(57)【要約】      （修正有）【課題】繰り返し使用に耐えると共に、人体に近い感触で皮下の血管の注射訓練を可能にした注射訓練プレートを提供する。【解決手段】注射訓練プレートは、軟質シート１ａの両端を接着することにより内挿物を封入した軟質プレート１の下面に、注射針の突き抜けを防止する硬質プレート２を貼り付け、さらにその下面に皮膚に前記硬質プレート２を貼り付けるための両面接着テープ３を備えている。軟質プレート１は、軟質ゴム製でシート状の軟質シート１ａの内部に内挿物として、皮脂下部を模したゲル状の軟質樹脂よりなる超軟質部材１ｂと、血管を模した軟質ゴムより成る軟質チューブ１ｃと包み込んで、両端部を接着層で封入している。【選択図】図３
0003180352.tif 000002
【実用新案登録請求の範囲】
【請求項１】
軟質シート内に軟質チューブを内挿した超軟質部材を封入する軟質プレートと、前記軟質部材の下面に貼り付けた硬質プレートと、前記硬質プレート下面に形成した接着層とを備えたことを特徴とする注射訓練プレート。
【考案の詳細な説明】
【技術分野】
【０００１】
本考案は、より実際に近い状態で注射の訓練が可能で構成が簡単な注射訓練プレートに関する。
【背景技術】
【０００２】
医療従事者を目指す学生等の教育に使用される注射訓練器具は、特許文献１にも示されているように通常腕等の人体の一部を模して内部に模擬血管を埋め込んだ構造となっているが教材としては高価であり、個人で購入して何度も訓練し技能の向上を期すことには適していなかった。
【０００３】
そこで、特許文献２に示されているように、模擬皮下組織に模擬血管を埋め込んだ構造の簡単な注射練習模型が提案されている。
【先行技術文献】
【特許文献】
【０００４】
【特許文献１】実公平５−１４２９３号公報
【特許文献２】実用新案登録第２５４１３３２号公報
【考案の概要】
【考案が解決しようとする課題】
【０００５】
しかし、特許文献２に記載された注射練習模型は、腕等に巻き付けて使用するよう構成されており、巻き付け力が弱いと位置ずれを来たし、強ければ腕等を圧迫することが懸念される。また、腕等に巻き付けるために大型でコストアップの一因となった。
【課題を解決するための手段】
【０００６】
そこで本考案は、軟質シート内に軟質チューブを内挿した超軟質部材を封入する軟質プレートと、前記軟質部材の下面に貼り付けた硬質プレートと、前記硬質プレート下面に形成した接着層とを備える。
【考案の効果】
【０００７】
よって、本考案によれば、接着層を腕等に貼り付ければ、腕等に圧迫感を与えることなく安定に訓練中プレートを保持することができる。
【図面の簡単な説明】
【０００８】
【図１】本考案の一実施形態に係る注射訓練プレートの外形を示すものであり（ａ）は上面図、（ｂ）は側面図、（ｃ）は正面図。
【図２】本考案の一実施形態に係る軟質プレートの組立説明図であり（ａ）は超軟質部材形成前の状態を示す上面図、（ｂ）は超軟質部材形成後の状態を示す上面図。
【図３】本考案の一実施形態に係る注射訓練プレートの使用状態を示す正面図。
【考案を実施するための形態】
【０００９】
以下、本考案の注射訓練プレートの一実施形態について図面を参照しながら説明する。図１（ｂ）及び（ｃ）に示すように、本実施形態では、軟質シート１ａの両端を接着することにより内挿物を封入した軟質プレート１の下面に、注射針の突き抜けを防止する硬質プレート２を貼り付け、さらにその下面に皮膚に前記硬質プレート２を貼り付けるための両面接着テープ３を備えている。
【００１０】
更に、図１（ｃ）に示すように本実施例の軟質プレート１は、軟質ゴム製でシート状の軟質シート１ａの内部に内挿物として、皮脂下部を模したゲル状の軟質樹脂よりなる超軟質部材１ｂと、血管を模した軟質ゴムより成る軟質チューブ１ｃと包み込んで、両端部を接着層１ｅで封入している。
【００１１】
尚、図１（ａ）（ｃ）に示す１ｄは、前記軟質ゴム１ａで包み込んだ状態における継ぎ目部分を示している。
【００１２】
図２は、前記軟質シート１ａ内に前記超軟質部材１ｂと軟質チューブ１ｃを封入する手順を示しており、まず図２（ａ）に示すように拡げた前記軟質シート１ａの中央に型枠４を置き、その内側中央に前記軟質チューブ１ｃを仮止めする。
【００１３】
この仮止め状態で、前記軟質シート１ａと前記軟質チューブ１ｃの間には適度な空間が形成されている。
【００１４】
この状態で図２（ｂ）に示すように前記型枠４内に軟質樹脂を流し込み軟質樹脂がゲル状に固まると、前記軟質チューブ１ｃを内部に包み込んだ前記超軟質部材１ｂが形成される。この超軟質部材１ｂの流動性がなくなった状態で前記型枠４を外し、上下両端に前記接着層１ｅを形成し前記軟質シート１ａの左右両側を内側に畳み込んで、軟質シート１ａの両側を隙間なく貼り合わせ、上下両端の接着層１ｅによって前記軟質シート内に内挿物を封入する。
【００１５】
このようにして形成した前記軟質プレート１の継ぎ目１ｄ側を前記硬質プレート２に接着固定し、前記硬質プレートの反対側に両面接着テープ３を貼り付けることにより、本実施例の注射訓練プレートは完成する。
【００１６】
図３は注射の針刺し状態を示しているが、本実施例では、まず前記両面接着テープ３を人の腕等に貼り付けて注射訓練プレートを腕に固定し、研修生が軟質プレート表面に触れて手探りで軟質チューブの位置を探し当て、軟質チューブ内に注射針５の先が刺せるように何度も注射の訓練をすることにより注射のスキルをアップするものである。
【００１７】
尚、前記両面接着テープ３は、腕に貼ったり外したりしているうちに接着力が弱くなった場合には、新しい両面接着テープに交換して使用するが、接着層は、両面テープに限らず他の接着剤を用いても良い。
【００１８】
また、本実施例のような注射訓練プレートを量産する場合は、長い軟質シートを用いて複数個の注射訓練プレートを作成して、後でシートを切断して切り離すようにしても良い。また、軟質シートや軟質チューブについはゴムに限らずポリウレタン樹脂を採用することも可能である。
【００１９】
また、超軟質部材についても、硬度がＪＩＳＡ０〜２０程度のポリウレタン樹脂を採用しても良い。
【符号の説明】
【００２０】
１  軟質プレート
１ａ  軟質シート
１ｂ  超軟質部材
１ｃ  軟質チューブ
２  硬質プレート
３  両面接着テープ
【図１】
0003180352.tif 000003
【図２】
0003180352.tif 000004
【図３】
0003180352.tif 000005
(57)【要約】      （修正有）【課題】袋状パッケージをファスナーにより再密封した後に、容易にファスナーを開封することを可能とする袋状フィルムパッケージを提供する。【解決手段】袋状とした一周縁近傍にファスナーを設け、ファスナーの外側部に前面と背面とで形状が異なるつまみを形成するための切断ガイドを設け、最初の開封時に切断ガイドの外側を切除することによりつまみを形成する。【選択図】図４
0003180380.tif 000002
【実用新案登録請求の範囲】
【請求項１】
合成樹脂製のシート状材料をその周縁を熱溶着などによって接着して袋状とし、四周のうち一周縁近傍に二枚のシートの間に噛み合せ可能なファスナーを設けたパッケージにおいて、ファスナー部より外側に、袋の手前側と背面側が重ならないように異なった形状かつ少なくとも一部が直線以外の形状の切断ガイドを設けたことを特徴とする袋状フイルムパッケージ。
【請求項２】
切断ガイドがミシン目によって形成されることを特徴とする請求項１記載の袋状フイルムパッケージ。
【請求項３】
切断ガイドがミシン目のような穴ではなく、パッケージを構成するフィルムの一部を肉薄にすることによって形成されることを特徴とする請求項１記載の袋状フイルムパッケージ。
【考案の詳細な説明】
【技術分野】
【０００１】
本考案は、商品を内側に密封して保存するための袋状パッケージに関するものであり、特にその一周縁にファスナーを有しており、一度開封した後も再密着可能となる袋状パッケージについてのものである。
【背景技術】
【０００２】
合成樹脂製のシート状材料を、その周縁を熱溶着などによって接着して袋状とし、この中に様々な商品を密封して出荷、陳列、販売するための袋状パッケージが広く使用されている。袋が合成樹脂製であると、外気中の細菌等から内容物を保護できるとともに、湿気による内容物の劣化も防ぐことができ、食品や粉末状の洗濯石鹸などのパッケージとしても広く採用されている。さらに、四周のうち一周縁近傍に二枚のシートの間に噛み合せ可能なファスナーを設けたものが広く使用されており、開封後も再密封し内容物を保護することを可能としている。
【０００３】
しかし、このようなパッケージでは、需要者がパッケージの周縁を切断した後に、ファスナーを開く際の手間が課題となる。ファスナーより外縁部を切断するには通常はさみ等を用いるが、表裏二枚のシートが一体となって切断されるため切断部がぴったりと重なること、及び合成樹脂はある程度の剛性があるため指先の扱いでは切断部近縁にに皺をつくるのが困難であることのために、ファスナーの咬み合わせを外すのは容易でない。特に高齢者などの指先の自由が利かない細かい作業の苦手な人や、視力の衰えた人たちにとっては、極めて細かい作業と言える二枚のフィルムの引き剥がしは、容易ではない。
【０００４】
特許文献に示した考案では、鋏を用いない開封方法を述べているが、再開封時の困難は上記と同様である。
【先行技術文献】
【特許文献】
【０００５】
【特許文献１】実用公告昭５２−０１８２５４
【特許文献２】実用公開平０７−０４４７２９
【考案の概要】
【考案が解決しようとする課題】
【０００６】
この考案が解決しようとする課題は、ファスナーを備える袋状パッケージにおける、ファスナーを用いた再密封後の開封作業を容易にすることである。
【課題を解決するための手段】
【０００７】
本考案の再密封可能袋状パッケージは、最初の開封時に袋の両面又は一方ににつまみを形成することを特徴とする。
【考案の効果】
【０００８】
本考案のつまみ部の設置により、容易に開封口の両側を掴むことが可能となり、容易に再開封することが可能となるという利点がある。
【図面の簡単な説明】
【０００９】
【図１】図１は一般的な再密封可能な袋状フイルムパッケージの概念図である。
【図２】図２は本考案の実施方法を示した説明図である。
【図３】図３は本考案の実施方法を示した詳細説明図である。
【図４】図４は本考案を実施したパッケージの使用方法を示した説明図である。
【考案を実施するための形態】
【００１０】
再開封時のつまみを形成するという目的を、開封位置につまみの形の切断ガイドを設けておくことにより実現した。
【実施例】
【００１１】
図１は一般的な再密封可能な袋状フイルムパッケージの概念図であり、１はパッケージの外縁、２は袋状のパッケージ本体、３はパッケージ前面と背面の圧着部、４はファスナー部、５は開封を容易にするための切り込み部である。ファスナー部の外側（図では上方）に切断部を設けることにより、切断部での開封後もファスナーを密着させるとパッケージ内の密着を保つことができるようになっている。
【００１２】
図２は本考案の実施例を示した説明図であり、１〜５は図１と同様である。６はパッケージ前面につまみを形成するための切断ガイド、７はパッケージ背面につまみを形成するための切断ガイドである。
【００１３】
図３は本考案の実施例をを示した詳細説明図であり、８は図２におけるパッケージ前面のつまみの切断ガイドの形状の例、９はパッケージ背面のつまみの切断ガイドの形状の例である。
本図では、切断ガイドによって形成されるつまみが前面側と背面側でずれているため、切断後にファスナー部でパッケージを再密着した後も左右の手の指によりそれぞれのつまみを別々につまんで開けることが容易となっている。
このように、それぞれの切断ガイドの形状を一方から見た場合に別の形状とすることにより、切断、再密着後の再開封を容易にしている。
【００１４】
図４は本考案の実施例を用いたパッケージの使用例を示した図であり、ミシン目に沿ってパッケージを切断した後に形成されたつまみが１０及び１１である。４は図１、図２と同様にファスナーであり、これを圧接することでパッケージが再密封され、１０、１１を左右の手の指でつまんで開くことにより密封が解除される。
【産業上の利用可能性】
【００１５】
切断ガイドによってつまみを容易に形成することができるため、開封後も密封保存が望ましい食料品や洗剤、医薬品等の保存用として使用した場合に利便性の高いパッケージとして活用できる。
【符号の説明】
【００１６】
１    パッケージの外縁
２    パッケージ本体
３    パッケージ前面と背面の圧着部
４    ファスナー
５    切り込み
６    パッケージ前面につまみを形成するための切断ガイド
７    パッケージ背面につまみを形成するための切断ガイド
８    パッケージ前面のつまみの切断ガイドの形状の例
９    パッケージ背面のつまみの切断ガイドの形状の例
１０  形成されたつまみの一方
１１  形成されたつまみの他方
【図１】
0003180380.tif 000003
【図２】
0003180380.tif 000004
【図３】
0003180380.tif 000005
【図４】
0003180380.tif 000006
(57)【要約】      （修正有）【課題】簡単な構造で、水道水や井戸水等の飲料水中に含まれる細菌類や有機化合物をオゾンによって分解・殺菌すると同時に、残存オゾンや塩素を排除する浄水器を提供する。【解決手段】オゾン水生成装置のオゾン水排出口に活性炭フィルターを設ける。【選択図】図１
0003180399.tif 000002
【実用新案登録請求の範囲】
【請求項１】
オゾン水生成装置のオゾン水排出口に活性炭フィルターを設けたことを特徴とする浄水器
【請求項２】
請求項１記載の浄水器において、水タンク内や流水経路内に電極を浸漬したことを特徴とする浄水器
【請求項３】
請求項１記載の浄水器において、オゾナイザーを用いることを特徴とする浄水器
【考案の詳細な説明】
【技術分野】
【０００１】  本考案は、オゾンを用いて供給水中の菌やウイルスなどに汚染された水を無菌の水とする浄水器に関するものである。
【背景技術】
【０００２】  一般的に水道水には、配水中での一般細菌や大腸菌などからの汚染を防ぐ目的で塩素（次亜塩素酸）が投入されている。【０００３】  また、河川水や井戸水を供給水として利用する場合、一般細菌、バクテリア、ウイルスなどを活性炭、その他のフィルターを用いて濾過した浄水を給水するようにした構造のものもある。【０００４】  簡単な浄水器としては筒状のケーシング内に活性炭や膜を使用したフィルターを充填し、水道などの蛇口に取着する構造のものがある。
（参考文献）
【考案の開示】
【考案が解決しようとする課題】
【０００５】  配水中の汚染を防ぐ目的で水道水に塩素を添加する場合、水の味を悪くし、さらには残留塩素と水中の有機物が化合してトリハロメタン等の人体に悪影響を及ぼす物質が生成されることがある。【０００６】  また、供給水によっては、使用に伴って浄水器内のフィルターに一般細菌やバクテリア、ウイルスなどが溜り、衛生面からフィルター交換の必要性が生じ、維持費が嵩むという問題点があった。【０００７】  本考案は上述した従来技術の諸問題に鑑みなされたもので、トリハロメタン等の有害物質の除去のみならず、一般細菌、バクテリア、ウイルス等を殺菌除去することができる浄水器を提供する。
【課題を解決するための手段】
【０００８】  前記課題を解決するため、本考案は以下の如き手段を採用する。
オゾン水生成装置のオゾン水排出口に活性炭フィルターを設けたことを特徴とする浄水器を提供する。【０００９】  また、前項の浄水器において、水タンク内や流水経路内に電極を浸漬したことを特徴とする浄水器を提供する。【００１０】  また、前々項の浄水器において、オゾナイザーを用いることを特徴とする浄水器を提供する。
【考案の効果】
【００１１】  本考案の請求項１に記載の考案によれば、供給水をオゾン水生成装置に注入することによって、供給水中の一般細菌、バクテリア、ウイルスなどを殺菌し、有機物やトリハロメタンなどの有害物質と残留オゾンは、排出口に設けた活性炭フィルターによって除去されるため、安全な飲用水を提供できる。【００１２】  本考案の請求項２に記載の考案は、請求項１に記載のオゾン水生成装置の構造を示している。すなわち、水タンク内や流水経路内に特殊な構造の電極を設置することによって、簡便にオゾン水生成装置を提供できる。【００１３】  本考案の請求項３に記載の考案は、請求項１に記載のオゾン水生成装置の、別の構造を示している。すなわち、オゾナイザーにより気体オゾンを生成し、エゼクターなどの混合器により水に混合させ、水タンク内で溶解させることで、確実なオゾン水生成装置を提供できる。
ここでオゾナイザーとは、エアーポンプから送られた空気内の酸素や酸素発生器により生成された酸素を放電により電気分解し、オゾンを発生させる装置である。【００１４】  したがって、無菌で安全な飲用水をつくる浄水器を提供することができる。
【図面の簡単な説明】
【００１５】
【図１】本考案に係わる浄水器の概要を正面側から見た断面図
【図２】本考案に係わる浄水器において、水タンクに電極を浸漬したものを正面側から見た断面図
【図３】本考案に係わる浄水器において、オゾナイザーを用いたものを正面側から見た断面図
【考案を実施するための形態】
【００１６】  以下、本考案を実施するための最良の形態を図面に基づいて詳細に説明する。
図１、２，３は、本考案に係わる浄水器の実施形態である。
本考案の浄水器は、オゾン水生成装置１、活性炭フィルター２、浄水３、吐水口４、水タンク５、電極６、水７、オゾナイザー８、空気９、気体オゾン１０
で構成される。
以下、図において、この作動を説明する。
【００１７】  図１において、注入口１２から入った供給水１１は、オゾン水生成装置１でオゾン水に生成される。このオゾン水は、活性炭フィルター２を通りオゾンが活性炭に吸着され、浄水３となって吐水口４から吐水される。
供給水をオゾン水生成装置に注入することによって、供給水１１の一般細菌、バクテリア、ウイルスなどを殺菌し、有機物やトリハロメタンなどの有害物質と残留オゾンは、オゾン水出口に設けた活性炭フィルター２によって除去されるため、安全な飲用水を提供できる。
【００１８】  図２は、オゾン水生成装置１におけるオゾン水の生成を、水タンク５に設けた電極６によって行うものである。
【００１９】  図３は、オゾン水生成装置１におけるオゾン水の生成を、オゾナイザー８によって行うものである。すなわち、オゾナイザー８に空気９を通すことによって、気体オゾン１０が発生する。その気体オゾン１０を気液混合器１３を利用し供給水１１に注入することによって、気体オゾン１０が溶け込み、水タンク５においてオゾン水１５が生成される。
【産業上の利用可能性】
【００２０】  本考案は、水質に不安のある供給水の有機物を除去し、無菌の飲用水として供給する浄水器として利用する。
【符号の説明】
【００２１】  １  オゾン水生成装置
２  活性炭フィルター
３  浄水
４  吐水口
５  水タンク
６  電極
７  水
８  オゾナイザー
９  空気
１０  気体オゾン
１１  供給水
１２  注入口
１３  気液混合器
１４  ポンプ
１５  オゾン水
【図１】
0003180399.tif 000003
【図２】
0003180399.tif 000004
【図３】
0003180399.tif 000005
(57)【要約】      （修正有）【課題】出し入れが容易な布団圧縮袋を提供する。【解決手段】布団圧縮袋の一辺に支持棒（パイプ等）を挿入出来る様に筒状部分２を溶着する。【選択図】図１
0003180397.tif 000002
【実用新案登録請求の範囲】
【請求項１】
布団圧縮袋に支持棒（パイプ）を通す箇所（筒状部分）を溶着し、吊るして収納できる様にした。
【考案の詳細な説明】
【技術分野】
【０００１】本考案は、従来圧縮袋は積み重ねて収納していたが、見つけにくいとか、出し入れがしにくいとか、積み重ねた物が崩れやすい等の難点あった。その難点をを解決する為に、布団圧縮袋を吊るして収納ができる様に、袋の一辺に支持棒（パイプ等）を挿入して、吊るす為の筒状の部分を設けたもである。
【背景技術】
【０００２】従来は、吊るして収納ができる布団圧縮袋はなかった。
【考案の概要】
【考案が解決しようとする課題】
【０００３】  従来の布団圧縮袋の収納は、積み重ねて収納する方法が大半でしたが、春秋の寝具の交換時、重ねてある中から必要なものが見つけにくい、積み上げてある物の重みで引き出しにくい、引き出す際に崩れる、等の難点があった。
本考案はこれらの課題を、解消する為になされたものです。
【課題を解決する手段】
【０００４】  寝具類のたたみ方を工夫することで、布団圧縮袋の大きさを縮小化し、更に布団圧縮袋の一辺に支持棒（パイプ等）を挿入して吊れる様に加工した。
【考案の効果】
【０００５】  必要な寝具類の見つけ出しや出し入れが容易になり、積み重ねられた布団圧縮袋が崩れる事もなくなる。
【図面の簡単な説明】
【０００６】
【図１】  布団圧縮袋に支持棒（パイプ等）を通す箇所（筒状部分）を溶着した姿図である。
【図２】  布団圧縮袋に支持棒（パイプ等）を通す箇所（筒状部分）を溶着した断面図である。
【図３】  本考案の使用状況を示す断面図である。
【考案を実施するための形態】
【０００７】    以下、本考案の実施の形態について説明する。
吊るす方法としては、一例として壁に固定のパイプ等を設置して、もう一端は市販の可動式パイプハンガー等を用意して吊るすことが考えられる。
又は、パイプハンガーを２台平列に並べて置き，渡し吊りしても良い。−図  ６
【符号の説明】
【０００８】  １    布団圧縮袋本体
２    筒状部分（支持棒挿入部分）
３    溶着部分
４    ファスナー部分
【図１】
0003180397.tif 000003
【図２】
0003180397.tif 000004
【図３】
0003180397.tif 000005
0003180397.tif 000006
【図７】
0003180397.tif 000007
【手続補正書】
【提出日】平成24年9月24日(2012.9.24)
【手続補正１】
【補正対象書類名】実用新案登録請求の範囲
【補正対象項目名】全文
【補正方法】変更
【補正の内容】
【実用新案登録請求の範囲】
【請求項１】
従来の布団圧縮袋に支持棒（パイプ）通す箇所（筒状部分）を溶着し、吊るして収納できることを特徴とする布団圧縮袋
【手続補正３】
【補正対象書類名】明細書
【補正対象項目名】０００６
【補正方法】変更
【補正の内容】
【０００６】
【図１】従来の布団圧縮袋に支持棒（パイプ）を通す箇所（筒状部分）を溶着した姿図である。
【図２】従来の布団圧縮袋に支持棒（パイプ）を通す箇所（筒状部分）を溶着した姿図である。
【図３】従来の布団圧縮袋に支持棒（パイプ）を通す箇所（筒状部分）を溶着した姿図である。
【図４】従来の布団圧縮袋に支持棒（パイプ）を通す箇所（筒状部分）を溶着した姿図の拡大図である。
【図５】従来の布団圧縮袋に支持棒（パイプ）を通す箇所（筒状部分）を溶着した姿図の縦断面図である。
【図６】従来の布団圧縮袋に支持棒（パイプ）を通す箇所（筒状部分）を溶着した姿図の水平断面図である。
【図７】以下、本考案の実施の形態について説明する。吊るす方法の一例としては、壁に固定のパイプ等を設置して、もう一端は市販の可動式パイプハンガー等を用意して吊るすことが考えられる。又は、パイプハンガーを２台平列に並べて置き，渡し吊りしても良い。
【手続補正４】
【補正対象書類名】図面
【補正対象項目名】図４
【補正方法】変更
【補正の内容】
【図４】
0003180397.tif 000008
【手続補正５】
【補正対象書類名】図面
【補正対象項目名】図５
【補正方法】変更
【補正の内容】
【図５】
0003180397.tif 000009
【手続補正６】
【補正対象書類名】図面
【補正対象項目名】図６
【補正方法】変更
【補正の内容】
【図６】
0003180397.tif 000010
(57)【要約】      （修正有）【課題】雨天日における雨傘のしずくの処理を効率よくかつスピーディーに行い、大衆の利用する施設、乗り物が清潔感にあふれ快適に過ごすことと、ビニール袋を使用しないことにより資源の無駄をなくす自動雨傘しずく吸水機を提供する。【解決手段】吸引力で水滴を吸い取る電動吸取り機８と傘挿入筒４を連結パイプ７を組み合わせて形成する。傘挿入口３は、吸収効率を高めるためにゴム製の弁を付け気密を保つ役目と減圧の働きをさせる。また、同傘挿入口３にセンサーを取り付け、傘の先端が挿入された時点でスイッチが入り、電動吸取り機８が作動するようにする。傘挿入筒４は、塩化ビニール製かステンレス製とする。筒底５は、ステンレス製で空気と水分が通り易い網目とする。筒底５と連結パイプ７の間に減圧弁６を取り付け、一定の吸引力を超えた場合に筒内の圧力を減らし、傘の損傷及びその他危険防止を図る。【選択図】図１
0003180395.tif 000002
【実用新案登録請求の範囲】
【請求項１】
本考案は、雨傘のしずくを効率よくかつスピーディーに取り去る方法を日常の業務で活用されている吸水型の掃除機を機能を利用し、雨傘のしずく吸水機に改良することにより、容易に問題を解決することができる。
【請求項２】
電動吸取り機のパワーにより、人体や傘に損傷を与える恐れがあるので、一定の吸引力を保つために減圧弁を取り付けることにより問題を解決することができる。
【考案の詳細な説明】
【技術分野】
【０００１】  雨傘のしずくを取るのに両手で傘を開閉したり、傘を振ったりの遠心力による方法、又は、ハンカチタオルなどで拭きとる方法考えられるが、本考案は安全でかつ最も効率良く水を吸い取る掃除機を利用する方法を考案したものである。
【背景技術】
【０００２】  雨天日、ショッピングセンター、スーパー等では出入口に雨傘を収納するビニール袋を設置したり、傘立てを設置してしずくが施設内に持ち込まれないように対策を講じている。
また、手動で特殊吸水スポンジの付いた雨傘吸水機を設置してある施設もみられる。
しかし、電車、バスなど大勢の客が利用する機関では対策が取られていないのが現状である。
【考案の概要】
【考案が解決しようとする課題】
【０００３】  本考案は、雨天時に公共の乗り物、公共の施設等不特定多数の人々が利用または、出入りする施設や場所において、雨傘に付着したしずくにより施設内の床が濡れ又は、他人の被服等を濡らすことにより不愉快な気分になったり、転倒やトラブルが発生する恐れがある。また、スーパーなど大型店舗に設置されている雨傘収納ビニール袋は使い捨てであり、資源の無駄となっている。せっかくの傘立ては収容能力に限界があり、盗難などの被害防止上からも問題がある。
【課題を解決するための手段】
【０００４】  多数人が所持する雨傘のしずくを短時間で効率よく処理するに当たり、吸水力が強い業務用掃除機：吸水型がヒントになり同機械を利用した雨傘専用の水分を処理する自動雨傘しずく吸水機を考案した。
【考案の効果】
【０００５】  自動雨傘しずく吸水機を設置することにより、雨天日の大型施設や駅などの出入口における人の滞留や衣服を濡らしたり、水浸しの床で転倒事故や不快感をなくす効果が期待できる。【０００６】  雨傘収納ビニール袋を使用せずに施設内に雨傘を携帯可能となることにより、資源の無駄を減少させることができる。
【考案を実施するための形態】
【０００７】  以下、本考案の実施の形態にについて、図面を参照しつつ詳細に説明すれば、図１は、本考案の実施例をあらわす自動雨傘しずく吸水機の正面方向からの断面図を示すが、しずく吸取り機本体（１）の規模は、設置施設の大小または利用頻度に応じて、電動吸取り機（８）の能力を上げ、傘挿入口（３）を複数にして対応する。
傘挿入口（３）は、吸収効率を高めるためにゴム製の弁を付け気密を保つ役目と減圧の働きをさせる。また、同傘挿入口（３）にセンサーを取り付け、傘の先端が挿入された時点でスイッチが入り、電動吸取り機（８）が作動するようにする。
傘挿入筒（４）は、錆びない塩化ビニール製かステンレス製の物を使用する。
筒底（５）は、衝撃に強く錆びないステンレス製で空気と水分が通り易い網目とする。
筒底（５）と連結パイプ（７）の間に減圧弁（６）を取り付け、一定の吸引力を超えた場合に筒内の圧力を減らし、傘の損傷及びその他危険防止を図る。
傘筒と吸取り機の連結パイプ（７）は、錆びないステンレス製などを用いて傘底及び電動吸取り機に接する部分は振動対策でゴムなどの素材を使用する。
電動吸取り機（８）は、既に市販されている業務用の物を応用する。
メインスイッチ（９）は、電動吸取り機に近くかつ見やすい本体正面側に設置する。
排水口（１０）を取り付け、しずくのオーバーフローを防ぐ。
吸取り機本体（１）底の４つのコーナーにキャスター（１１）を取り付け、移動可能にする。
【図面の簡単な説明】
【０００８】
【図１】本考案の正面方向からの断面図である。
【図２】本考案の平面の断面図である。
【符号の説明】
【０００９】１    自動雨傘しずく吸水機本体
２    傘挿入筒に傘を挿入した状態
３    傘挿入口
４    傘挿入筒
５    筒底
６    減圧弁
７    傘挿入筒と電動吸取り機との連結パイプ
８    電動吸取り機
９    メインスイッチ
１０  排水口
１１  キャスター
【図１】
0003180395.tif 000003
【図２】
0003180395.tif 000004
【手続補正書】
【提出日】平成24年9月28日(2012.9.28)
【手続補正１】
【補正対象書類名】実用新案登録請求の範囲
【補正対象項目名】全文
【補正方法】変更
【補正の内容】
【実用新案登録請求の範囲】
【請求項１】
吸引力で水分を吸い取る電動吸取り機と傘挿入筒を連結パイプで組合せ、雨傘のしずくを効率よく、かつ、スピーディーに吸い取ることを特徴とする自動雨傘しずく吸水機。
【請求項２】
雨傘に付着したしずくを吸い取るに必要な吸引力で十分であり、それ以上の吸引力を減圧させる減圧弁を、傘挿入筒の筒底と電動吸取り機とを連結する連結パイプに取付け雨傘のしずくを効率よく、かつ、スピーディーに吸い取ることを特徴とする請求項１に記載の自動雨傘しずく吸水機。
(57)【要約】      （修正有）【課題】靴の中の悪臭を除去させるためのミョウバンを施した靴の下敷きを提供する。【解決手段】靴の下敷き１に、ミヨウバンの溶剤を浸みこませ、布で包んだミヨウバン３を靴の下敷き１の一面に接合させたり、靴の下敷き１の窪みに、布で包んだミヨウバン３を接合した、ミヨウバンを施した靴の下敷き。【選択図】図４
0003180393.tif 000002
【実用新案登録請求の範囲】
【請求項１】
靴の下敷きに、ミヨウバンの溶剤を浸みこんだミヨウバンを施した靴の下敷き。
【請求項２】
ミヨウバンを布で施し、靴の下敷きの一面に接合するミヨウバンを施した靴の下敷き。
【請求項３】
靴の下敷きの窪にミヨウバンを布で施し接合するミヨウバンを施した靴の下敷き。
【考案の詳細な説明】
【技術分野】
【０００１】  本考案は靴の下敷きに関するものである。
【背景技術】
【０００２】  凹凸を施した靴の下敷きなどはあるが、薬剤を併用したものはなかった。
【考案の概要】
【考案が解決しようとする課題】
【０００３】  靴の中の悪臭除去を靴の下敷きを改善により解決しようとするものである。
【課題を解決するための手段】
【０００４】  靴の下敷きに施したミョウバンによって悪臭を除去する。
【考案の効果】
【０００５】  きわめて簡易な手段で悪臭を発生させない。
【図面の簡単な説明】
【０００６】
【図１】  靴の下敷きの平面図である。
【図２】  靴の下敷きの一部切欠の平面図である。
【図３】  靴の下敷きの側面図である。
【図４】  窪みを有する靴の下敷きの平面図である。
【図５】  窪みを有する靴の下敷きの断面図である。
【考案を実施するための形態】
【０００７】  靴底に敷く
【実施例】
【０００８】  添付図面に従って実施例を説明する。図１はミヨウバン２を溶剤にして浸みこませた靴の下敷き１である。【０００９】  図２は、ミヨウバン２を布で包んだ３を、靴の下敷きの一面に接合する。【００１０】  図４は靴の下敷き１の窪４に、ミヨウバン２を布で包んだ３で接合する。図３は窪み４を明確に表示した断面図である。
【符号の説明】
【００１１】  １  靴の下敷き
２  ミヨウバン
３  布で包んだミヨウバン
４  窪み
【図１】
0003180393.tif 000003
【図２】
0003180393.tif 000004
【図３】
0003180393.tif 000005
【図４】
0003180393.tif 000006
【図５】
0003180393.tif 000007
【手続補正書】
【提出日】平成24年9月24日(2012.9.24)
【手続補正１】
【補正対象書類名】実用新案登録請求の範囲
【補正対象項目名】全文
【補正方法】変更
【補正の内容】
【実用新案登録請求の範囲】
【請求項１】
靴の下敷きに、ミヨウバンの溶剤を浸みこませた、ミヨウバンを施した靴の下敷き。
【請求項２】
ミヨウバンを布で包み、靴の下敷きの一面に接合する、ミヨウバンを施した靴の下敷き。
【請求項３】
靴の下敷きの窪みに、ミヨウバンを布で包み接合する、ミヨウバンを施した靴の下敷き。
(57)【要約】      （修正有）【課題】高齢者や障害者等が浴槽の出入りを安定して容易に行え、介助者の負担を抑えたバスボードを提供する。【解決手段】バスボード本体１と、バスボード本体１を浴槽へ固定する固定具６と、バスボード本体１とスライド可能に取り付けられた回転座面３とからなる。被介助者が座面に座った状態で座面ごと回転、スライドすることができ、浴槽をまたぐ動作、バスボード本体１の上を移動する動作を助け、安定して浴槽内に入ることができるため、介助者の負担を大幅に軽減する。【選択図】図１
0003180396.tif 000002
【実用新案登録請求の範囲】
【請求項１】
介助が必要な高齢者や障害者等が浴槽への出入りを行う際、回転とスライドが可能な座面に腰掛け、座面ごと回転、移動することで、浴槽をまたぐ動作、移動、方向変換を安定して容易に行うことができるバスボード。
【考案の詳細な説明】
【技術分野】
【０００１】本考案は、高齢者や障害者等が浴槽の出入りを安定して容易に行うバスボードに関する。
【背景技術】
【０００２】介助が必要な高齢者や障害者等が、浴槽に渡したプラスチック製の板に腰掛けて浴槽をまたぐ、または移動するタイプの従来型バスボードは、介助者が被介助者を抱え上げ、移動させなければならない場合が多く、介助者の負担を大きくしている。
【考案の開示】
【考案が解決しようとする課題】
【０００３】入浴時、浴槽の出入りに介助が必要な高齢者や障害者等が浴槽に出入りする際の、介助者の負担を大幅に軽減するのが本考案である。現在、市場では数多くのバスボードが販売されているが、その大半が浴槽の縁にかける板状の簡易なものであり、浴槽をまたいだり、バスボード本体の上を移動するために、被介護者を抱え上げなければならない等、介助者に大きな負担をかけている。
【課題を解決するための手段】
【０００４】上記目的を達成するために、ベアリング構造の回転座面を、バスボード本体上部をスライドする為の金属製レールに設置することで、被介助者が座面に乗った状態で座面ごと回転、移動することができ、浴槽のまたぎ動作や移動を安定して容易に行う事ができる。
【考案の効果】
【０００５】本考案の座面回転スライド式バスボードを利用することで、浴槽の出入り動作を安定して容易に行う事ができる。
【考案を実施するための最良の形態】
【実施例】
【０００６】以下添付図面に従って実施例を説明する。図面１は正面から見た図、図面２は上から見た図である。
【図面の簡単な説明】
【０００７】
【図１】正面から見た図
【図２】上から見た図
【図３】下から見た図
【図４】浴槽に設置したイメージ図
【符号の説明】
【０００８】１    バスボード本体
２    体位保持用握り手
３    回転座面
４    回転ストッパー
５    背もたれ
６    浴槽への固定具
７    浴槽への固定具の固定ネジ
８    スライド用レール
９    スライド用レールと座面の組み合わせ部
１０  浴槽
【図１】
0003180396.tif 000003
【図２】
0003180396.tif 000004
【図３】
0003180396.tif 000005
【図４】
0003180396.tif 000006
【手続補正書】
【提出日】平成24年9月25日(2012.9.25)
【手続補正１】
【補正対象書類名】実用新案登録請求の範囲
【補正対象項目名】全文
【補正方法】変更
【補正の内容】
【実用新案登録請求の範囲】
【請求項１】
バスボード本体と、バスボード本体を浴槽へ固定する固定具と、バスボード本体とスライド可能に取り付けられた回転座面とからなるバスボード。
(57)【要約】      （修正有）【課題】冬道の雪上走行ができる車椅子用スキーを提供する。【解決手段】前方が上方に向かって湾曲する板の先端辺の中央部に車輪の先端部が嵌入する凹部を設け、板の中央部縦方向に車輪を挟むことができる幅で側立板を並設してなる。【選択図】図１
0003180361.tif 000002
【実用新案登録請求の範囲】
【請求項１】
前方が上方に向かって湾曲する板の先端辺の中央部に車輪の先端部が嵌入する凹部を設け,前記板の中央部縦方向に車輪を挟むことができる幅で側立板を並設してなる車椅子用スキー。
【請求項２】
前記板の後端部裏面にブレーキとなる凸部を設けた請求項１の車椅子用スキー。      
【考案の詳細な説明】
【技術分野】
【０００１】
この考案は、雪の上で介助者が車椅子を押すとき深雪にでも雪に嵌らず雪上走行が出    来るようにした装置に関するものである。                                          
【背景技術】
【０００２】
特願２００４―２６１５０８はアタッチメントとして機械的部品を組み合わせ取り外し可能にスキー状を車椅子本体と結合している。特願２０００―２３２９９６は機械的部品を組み合わせ車椅子の車輪の下部部分にスキー状を置いて上の本体部分に機械的に組み合わせ固定して車椅子が雪道の環境で雪上走行する等の対応手段としていて両方共車椅子の車両とスキー状の板を機械的に結合する方法が知られている。                                                                                                        
【先行技術文献】
【特許文献】
【０００３】
【特許文献１】特願２００４―２６１５０８
【特許文献２】特願２０００―２３２９９６
【考案の概要】
【考案が解決しようとする課題】
【０００４】
冬期間には車椅子の車輪が雪道の雪が障害になり雪に嵌ったり、小さな前輪が雪で左右                      にブレたりして方向が定まらず雪上走行が困難で介助者がいても車椅子の利用者は家から外出しづらかったが本考案はこの課題を解消するためになされたものである。
【課題を解決するための手段】
【０００５】
かかる目的を達成すべく前方が上方に向かって湾曲する板の先端辺の中央部に車輪の先端部が嵌入する凹部を設け,前記板の中央部縦方向に車輪を挟むことができる幅で側立板を並設してなる車椅子用スキーとして課題を解決している。
【考案の効果】
【０００６】
本考案によれば、次のような効果が期待される。
（１）車椅子に個々の取付金具が不必要であるため緊急の着脱の作業の対応が容易であ  る。
（２）各種の不特定多数の市販車椅子の寸法にも柔軟に対応できる。                  
（３）車椅子を自在かつ容易に所望の方向へ移動操作することができる。                                                                                              
（４）車椅子の操作は通常と同じ操作感覚で可能である。
【図面の簡単な説明】
【０００７】
【図１】本考案の１実施例を示す斜視図である。
【図２】本考案の１実施例を示す断面図である。
【図３】本考案の１実施例を示す斜視図である。
【図４】本考案の１実施例を示す側面図である。
【実施例】
【０００８】
以下図面に示す実施例に従って本考案の詳細について説明する。図１及び図２に於いて  前方が上方に向かって湾曲する板(1)の先端辺の中央部に車輪の先端部が嵌入する凹部の車輪先端部の嵌入溝(3)を設け,前記板の中央部縦方向に車輪を挟むことができる幅で側立板(2a,2b)を並設してなり車輪先端部の嵌入溝(3)と側立板(2a,2b)は同列である。側立板(2a,2b)は円柱状でもよい。ブレーキ(4)は走行に支障がない程度の凸で後輪の大車輪(5)に付くものである。
上部にある車輪先端部の嵌入溝(3)はその前部で前進する力を受けるとともに左右の方向転換時に左右からの力を受け、下部にあって側立板(2a,2b)は車輪先端部の嵌入溝(3)と共に左右の方向転換時に左右からの力を受ける。
介助者の操作により使用時には前輪の小車輪(6)と後輪の大車輪(5)の前にこのスキーを置いて車椅子を乗り上げて押しながら前進,左右に方向転換をするがスキーを外す時は車輪先端部の嵌入溝(3),側立板(2a,2b)の長さ分だけ後退させれば良くブレーキ(4)は後輪の大車輪(5)にあって介助者の片足を載せる操作により走行は止まる。
図３は嵌入溝(3)の両脇に設けた後退用軸受け(８)であり後退時に後退用軸脱落防止    (7a)を持つ後退用軸(７)を上から押し込み挿入して嵌入溝(3)を横架してタイヤ部  の収納枠(3a )を作り後退の時に後退用軸(７)が引っかかるようにして必要時に使用  する。
図４はスキーの上に車椅子を載せた側面図である。
【符号の説明】
【０００９】
１    車輪を乗せる板
２ａ  側立板
２ｂ  側立板
３    車輪先端部の嵌入溝
３ａ  タイヤ部の収納枠
４    ブレーキ
５    大車輪（後輪）
６    小車輪（前輪）
７    後退用軸
７ａ  後退用軸脱落防止軸
８    後退用軸受け
【図１】
0003180361.tif 000003
【図２】
0003180361.tif 000004
【図３】
0003180361.tif 000005
【図４】
0003180361.tif 000006